(57)【要約】【課題】シンプルな構造で余計なコストも掛からないにも関わらず、使用する筆記具を邪魔にならない状態で留め置くことができるブックカバーを提供すること。【解決手段】可撓性のあるカバーシート２の左右両側に、本や手帳などのブックの表表紙と裏表紙とをそれぞれ差し込むことが可能な差込み部５，６を備えてなるブックカバーにおいて、装着するブックの背に沿う帯状のセンター領域の上部に、筆記具の係止用フックを引っ掛けるための切欠７又は開口を打抜き形成した構成とする。この切欠７又は開口の中に筆記具の係止用フックを差し込むことにより筆記具をその頭が飛び出ない状態で係止できることから、筆記具を邪魔にならない状態で留め置くことができる。このブックカバーは、切欠を打ち抜いただけというシンプルな構造であって、ブックカバーの原反からの打抜きと同時に切欠も打ち抜くことにより製造できる。【選択図】図１
2005262693.tif 000002
【特許請求の範囲】
【請求項１】
可撓性のあるカバーシートの左右両側に、本や手帳などのブックの表表紙と裏表紙とをそれぞれ差し込むことが可能な差込み部を備えてなるブックカバーにおいて、装着するブックの背に沿うセンターの上部に、筆記具の係止用フックを引っ掛けるための切欠を打抜き形成したことを特徴とするブックカバー。
【請求項２】
可撓性のあるカバーシートの左右両側に、本や手帳などのブックの表表紙と裏表紙とをそれぞれ差し込むことが可能な差込み部を備えてなるブックカバーにおいて、装着するブックの背に沿うセンターの上部に、筆記具の係止用フックを引っ掛けるための開口を打抜き形成したことを特徴とするブックカバー。
【発明の詳細な説明】
【技術分野】
【０００１】
本発明は、ブックカバーの分野に属し、詳しくは、読む時に重要箇所に線を引くようなタイプの本や書き込んで使用するタイプの手帳などに用いられるブックカバーに関するものである。
【背景技術】
【０００２】
従来、この種のブックカバーとしては、本や手帳などの表表紙と裏表紙とをそれぞれ差込み可能な差込み部を備えただけの形態を採るものが一般的である。ところで、本を読んで重要箇所に線を引いたり、手帳に物を書き込んだりする場合、ボールペン等の筆記具を使用するが、使い終わった筆記具は机の上に置いたり筆入れに入れたりしている。ところが、車中であるとか現場での仕事中であるような場合は、使い終わった筆記具を本や手帳のページ間に挟んだり、或いはブックカバーの端に差しておいたりすることが多い。例えば、特許文献１に記載のようなブックカバーを装着している場合には、筆記具をブックカバーの上端に差しておくことが多い。ところが、これでは筆記具の頭の部分が本や手帳から飛び出た状態となって邪魔になる。そこで、特許文献２に記載のような、ペン差し及びボタンを取り付けたブックカバーも提案されている。
【特許文献１】実用新案登録第３０８４７４４号公報
【特許文献２】特開平９−３０１４８号公報
【発明の開示】
【発明が解決しようとする課題】
【０００３】
上記したように、通常のブックカバーでは、その端縁に筆記具を差した状態で留め置くと、頭の部分が突き出て邪魔になる。これに対し、上記した特許文献２に記載のブックカバーは、ボタンで留めたペン差しに筆記具を差しておくことにより、頭の部分が飛び出た状態にならず、必要な時に筆記具を探さずに使用することができて便利である。しかしながら、ブックカバー本体にペン差しとボタンを付けなければならないため、ブックカバー自体が嵩張ったものになり、しかもコストが高くなるという問題点がある。したがって、この種の製品に対する低価格指向の時代の流れに合わず、また例えば景品や付録としての用途に使用するにしても二の足を踏むといった問題がある。
【０００４】
本発明は、従来のブックカバーが有するこのような問題点に鑑みてなされたものであり、その目的とするところは、シンプルな構造で余計なコストも掛からないにも関わらず、使用する筆記具を邪魔にならない状態で留め置くことができるブックカバーを提供することにある。
【課題を解決するための手段】
【０００５】
上記の目的を達成するため、本発明に係る第１のタイプのブックカバーは、可撓性のあるカバーシートの左右両側に、本や手帳などのブックの表表紙と裏表紙とをそれぞれ差し込むことが可能な差込み部を備えてなるブックカバーにおいて、装着するブックの背に沿うセンターの上部に、筆記具の係止用フックを引っ掛けるための切欠を打抜き形成したことを特徴としている。
【０００６】
また、同様の目的を達成するため、本発明に係る第２のタイプのブックカバーは、可撓性のあるカバーシートの左右両側に、本や手帳などのブックの表表紙と裏表紙とをそれぞれ差し込むことが可能な差込み部を備えてなるブックカバーにおいて、装着するブックの背に沿うセンターの上部に、筆記具の係止用フックを引っ掛けるための開口を打抜き形成したことを特徴としている。
【発明の効果】
【０００７】
本発明に係る第１のタイプのブックカバーは、可撓性のあるカバーシートの左右両側に、本や手帳などのブックの表表紙と裏表紙とをそれぞれ差し込むことが可能な差込み部を備えてなるブックカバーにおいて、装着するブックの背に沿う帯状のセンター領域の上部に、筆記具の係止用フックを引っ掛けるための切欠を打抜き形成したことを特徴としているので、本又は手帳に装着すると背の上部に切欠が位置し、この切欠の中に筆記具の係止用フックを差し込むことにより筆記具をその頭が飛び出ない状態で係止できることから、筆記具を邪魔にならない状態で留め置くことができる。そして、切欠は上部が開いているので、筆記具の係止用フックを差し込みやすいという利点がある。しかも、このブックカバーは、切欠を打ち抜いただけというシンプルな構造であって、ブックカバーの原反からの打抜きと同時に切欠も打ち抜くことにより、余計なコストを掛けずに製造することができる。
【０００８】
本発明に係る第２のタイプのブックカバーは、可撓性のあるカバーシートの左右両側に、本や手帳などのブックの表表紙と裏表紙とをそれぞれ差し込むことが可能な差込み部を備えてなるブックカバーにおいて、装着するブックの背に沿う帯状のセンター領域の上部に、筆記具の係止用フックを引っ掛けるための開口を打抜き形成したことを特徴としているので、本又は手帳に装着すると背の上部に開口が位置し、この開口の中に筆記具の係止用フックを差し込むことにより筆記具をその頭が飛び出ない状態で係止できることから、筆記具を邪魔にならない状態で留め置くことができる。そして、開口を形成したことによりブックカバーの左右上端縁は繋がっているので、折れたり引っ掛かったりするようなことがない。しかも、このブックカバーは、開口を打ち抜いただけというシンプルな構造であって、ブックカバーの原反からの打抜きと同時に開口も打ち抜くことにより、余計なコストを掛けずに製造することができる。
【発明を実施するための最良の形態】
【０００９】
図１は本発明に係る第１のタイプのブックカバーの一例をその内面側で示す正面図、図２は図１に示すブックカバーの使用状態を示す側面図である。
【００１０】
図１に示すように、ブックカバー１は、可撓性のあるカバーシート２の左右両側にそれぞれ内面シート３，４が重ね合わせられ、その内面シート３，４における外周３辺をウェルダー溶着することで差込み部５，６が形成されている。この差込み部５，６は、装着の対象とする本や手帳などのブックの表表紙と裏表紙とがそれぞれ差し込むことが可能なサイズとする。そして、カバーシート２には、装着するブックの背に沿うセンターの上部に、筆記具の係止用フックを引っ掛けるための切欠７が打抜き形成されている。
【００１１】
ブックカバー１を構成するカバーシート２及び内面シート３，４には、一般に知られている熱可塑性樹脂、例えば、ポリエチレン、ポリプロピレン、塩化ビニル等からなる合成樹脂シートを用いる。したがって、カバーシート２と内面シート３，４はウェルダー溶着が可能である。そして、通常の場合、カバーシート２には着色したものが用いられ、必要に応じて表面又は表裏面に適宜な模様が施されることが多い。一方、内面シート３，４には透明で全体に梨地加工を施したものが用いられることが一般的であり、これによってカバーシート２との密着が防止されるとともに、表表紙と裏表紙の差込みがスムーズに行える。
【００１２】
このブックカバー１を製造するには、カバーシート２の原反に所定形状の内面シート３，４を重ね合わせ、差込み部５，６を形成するために内面シート３，４の３辺をウェルダー溶着した後、所定形状に打ち抜いてブックカバー１を作製する。そして、このブックカバーの原反からの打抜きと同時に切欠７も打ち抜くようにすることが好ましく、そうすることで切欠７だけの打抜き工程を別途行う必要がなくなる。
【００１３】
このブックカバー１は、これに合うサイズの手帳或いは本に装着して使用する。そして、この装着した状態では、背の上部に切欠７が位置するので、図２に示すように、この切欠７の中に筆記具Ｐの係止用フックＦを差し込む。この場合、切欠７はその上部が開いているので、係止用フックＦの差込みを行いやすい。これによって、筆記具Ｐをその頭が飛び出ない状態で係止できることから、筆記具Ｐを邪魔にならない状態で留め置くことができる。
【００１４】
図３は本発明に係る第２のタイプのブックカバーの一例をその内面側で示す正面図であり、このブックカバー１’は、図１に示したブックカバー１と略同じ構成をしており、切欠７の代わりに開口８を打抜き形成している点のみが異なっている。この開口８は、筆記具の係止用フックが入りやすい形状にすることが望ましい。
【００１５】
このブックカバー１’も、これに合うサイズの手帳又は本に装着して使用する。そして、この装着状態では、背の上部に開口８が位置するので、図２に示したの同様に、この開口８の中に筆記具Ｐの係止用フックＦを差し込む。これによって、筆記具Ｐをその頭が飛び出ない状態で係止できることから、筆記具Ｐを邪魔にならない状態で留め置くことができる。そして、このブックカバー１’では、切欠ではなく開口８を形成したことにより、ブックカバー１の左右上端縁は繋がっており、したがって取扱い時において端部が折れたり引っ掛かったりするようなことがない。
【００１６】
以上、２つの例を挙げて本発明を具体的に説明したが、本発明のブックカバーは、これらの具体例に限定されるものではなく、本発明の趣旨を逸脱しない範囲において種々の変更が可能であることは当然のことである。
【図面の簡単な説明】
【００１７】
【図１】本発明に係る第１のタイプのブックカバーの一例をその内面側で示す正面図である。
【図２】図１に示すブックカバーの使用状態を示す側面図である。
【図３】本発明に係る第２のタイプのブックカバーの一例をその内面側で示す正面図である。
【符号の説明】
【００１８】
１  ブックカバー
２  カバーシート
３，４  内面シート
５，６  差込み部
７  切欠
８  開口
Ｐ  筆記具
Ｆ  係止用フック
【図１】
2005262693.tif 000003
【図２】
2005262693.tif 000004
【図３】
2005262693.tif 000005